(57)【要約】【課題】  記録再生装置の記録方法で、ＤＶＤディスクにハードディスクに記録されている所望データのみを書き込む場合において、ＤＶＤディスクに所望のデータを書き込みたいときに生じる手間を省くことができる記録再生装置を提供する。【解決手段】  記録再生装置のハードディスク（ＨＤＤ）の所望のデータをＤＶＤディスクに記録させる場合において、ＤＶＤディスクに記録されているデータの有無を判定し（Ｓ１０３）、ＤＶＤディスクにデータが記録されているとき、ＤＶＤディスクに記録されている全データをＨＤＤに記録させ（Ｓ１０４）、ＤＶＤディスクに記録されているデータがＨＤＤに記録された後、ＤＶＤディスクに記録されている全データを消去し（Ｓ１０６）、ＤＶＤディスクに記録されていたデータが全て消去された後、ＤＶＤディスクにＨＤＤの所望のデータを記録させる（Ｓ１０８）ことを特徴としている。【選択図】  図２
2007004889.tif 000002
【特許請求の範囲】
【請求項１】
記録再生装置の第1の記録媒体に記録されている所望のデータを第２の記録媒体に記録させる場合において、
前記第２の記録媒体に記録されているデータの有無を判定する工程と、
前記第２の記録媒体にデータが記録されていると判定されたとき、前記第２の記録媒体にユーザーが記録したデータの全てを前記第１の記録媒体に記録させる工程と、
前記第２の記録媒体に記録されている前記データの全てが前記第１の記録媒体に記録された後、前記第２の記録媒体に記録されている前記データの全てを消去する工程と、
前記第２の記録媒体に記録されていた前記データの全てが消去された後、前記第２の記録媒体に前記第１の記録媒体に記録されている所望のデータを記録させる工程と、
を備えることを特徴とする記録再生装置の記録方法。
【請求項２】
前記第２の記録媒体にデータが記録されていると判定された後、前記データを記録する前記第１の記録媒体の記録先を設定する工程と、
前記記録先に前記第２の記録媒体に記録されている前記データの全てを記録する工程と、
を備えることを特徴とする請求項1記載の記録再生装置の記録方法。
【請求項３】
前記第２の記録媒体に記録されているデータを前記第１の記録媒体に記録する記録先を設定しない場合、
予め用意された記録先名を記録先として設定する工程と、
前記予め用意された記録先名の記録先に前記第２の記録媒体に記録されている前記データの全てを記録する工程と、
を備えることを特徴とする請求項２記載の記録再生装置の記録方法。
【請求項４】
前記予め用意された記録先名が既に使用済みの場合、
前記予め用意された記録先名に数字を付加した記録先名を記録先として設定する工程と、
前記数字を付加した記録先名の記録先に前記第２の記録媒体に記録されている前記データの全てを記録する工程と、
を備えることを特徴とする請求項３記載の記録再生装置の記録方法。
【請求項５】
前記数字を付加した記録先名が既に使用済みの場合、
前記数字を付加した記録先名の数字を増加させた記録先名を記録先として設定する工程と、
前記数字を増加させた記録先名の記録先に前記第２の記録媒体に記録されている前記データの全てを記録する工程と、
を備えることを特徴とする請求項４記載の記録再生装置の記録方法。
【請求項６】
前記第２の記録媒体は、着脱可能な記録媒体であることを特徴とする請求項１乃至請求項５のいずれか１項に記載の記録再生装置の記録方法。
【請求項７】
記録再生装置に搭載させる半導体集積回路において、
前記半導体集積回路は、前記第２の記録媒体に記録されているデータの有無を判定し、前記第２の記録媒体にデータが記録されていると判定されたとき、前記第２の記録媒体にユーザーが記録したデータの全てを前記第１の記録媒体に記録させ、前記第２の記録媒体に記録されている前記データの全てが前記第１の記録媒体に記録された後、前記第２の記録媒体に記録されている前記データの全てを消去し、前記第２の記録媒体に記録されていた前記データの全てが消去された後、前記第２の記録媒体に前記第１の記録媒体に記録されている所望のデータを記録させる制御手段を備えることを特徴とする半導体集積回路。
【請求項８】
前記制御手段は、前記半導体集積回路に組み込まれたプログラムシステムであることを特徴とする請求項７記載の半導体集積回路。
【発明の詳細な説明】
【技術分野】
【０００１】
本発明は、記録再生装置の記録方法及び半導体集積回路に関するものである。
【背景技術】
【０００２】
従来、DVD／HDDレコーダに内蔵されたHDDに記録されている所望データのみを記録再生可能なDVDディスク（DVD-RAM、DVD-RW)に記録する場合、何も記録されていないDVDディスクを用意するか既にデータが記録された記録済みのDVDディスクを用意する事になる。
【０００３】
例えば、使用済みのDVDディスクしか用意できない場合には、そのディスクをDVD／HDDレコーダで再生して記録データが有るかどうかを確認し、記録データが有る場合にはそのデータの内容をユーザー自身が確認した後、データを保存するか消去するかの判断する必要がある。
【０００４】
そして、そのディスクから消去したくないデータが確認された場合には、他の記録済みディスクを再度探し用意しなければならない。また、そのディスクのデータはディスクから消去しても良いが保存する必要があると判断した場合には、HDDへ保存するデータのコピーを行った後に、ディスクの全データを消去する必要がある。そして、全てのデータが不要であると判断できた場合にはディスクの全データを消去する必要がある。
【０００５】
上記の説明の様にＤＶＤディスクに所望のデータを記録するまでに、データの内容をユーザー自身が確認及び判別する手間や、空きディスクを探す手間、またディスクにデータが記録されている場合には、HDDへデータを移動する操作の手間、ディスクのデータの消去の手間が発生し、その作業は手間がかかる。
【０００６】
従来技術として、動画記録再生システムのデジタル記録手段の空き容量が一定以下になった時、記録されている録画タイトルの中から、消去すべき録画タイトルの優先順位を決定し、限られた容量のデジタル記録手段を効率よく使用することができるものである。しかしながら、この従来技術では、ＤＶＤディスクに所望の記録データを記録するのにかかる手間を省くことはできない。
【特許文献１】特開２００４−３２６８８４号公報（第１１頁、図４）
【発明の開示】
【発明が解決しようとする課題】
【０００７】
本発明は、記録再生装置の記録方法で、着脱可能な記録媒体にハードディスクの所望のデータを書き込む場合において、所望のデータのみを記録媒体に書き込みたいときに生じる手間を省くことができる記録再生装置を提供することを目的とする。
【課題を解決するための手段】
【０００８】
本発明の一態様の記録再生装置の記録方法は、記録再生装置の第1の記録媒体に記録されている所望のデータを第２の記録媒体に記録させる場合において、前記第２の記録媒体に記録されているデータの有無を判定する工程と、前記第２の記録媒体にデータが記録されていると判定されたとき、前記第２の記録媒体にユーザーが記録したデータの全てを前記第１の記録媒体に記録させる工程と、前記第２の記録媒体に記録されている前記データの全てが前記第１の記録媒体に記録された後、前記第２の記録媒体に記録されている前記データの全てを消去する工程と、前記第２の記録媒体に記録されていた前記データの全てが消去された後、前記第２の記録媒体に前記第１の記録媒体に記録されている所望のデータを記録させる工程と、を備えることを特徴としている。
【０００９】
また、本発明の別の態様の半導体集積回路は、記録再生装置に搭載させる半導体集積回路において、前記半導体集積回路は、前記第２の記録媒体に記録されているデータの有無を判定し、前記第２の記録媒体にデータが記録されていると判定されたとき、前記第２の記録媒体にユーザーが記録したデータの全てを前記第１の記録媒体に記録させ、前記第２の記録媒体に記録されている前記データの全てが前記第１の記録媒体に記録された後、前記第２の記録媒体に記録されている前記データの全てを消去し、前記第２の記録媒体に記録されていた前記データの全てが消去された後、前記第２の記録媒体に前記第１の記録媒体に記録されている所望のデータを記録させる制御手段を備えることを特徴としている。
【発明の効果】
【００１０】
本発明によれば、記録再生装置の記録方法で、着脱可能な記録媒体にハードディスクの所望のデータを書き込む場合において、所望データのみを記録媒体に書き込みたいときに生じる手間を省くことができる。
【発明を実施するための最良の形態】
【００１１】
以下、本発明の実施例について、図面を参照して説明する。各実施例の記録再生装置では、ハードディスクドライブ（ＨＤＤ）／ＤＶＤレコーダを例にとって説明する。
【実施例１】
【００１２】
図１に一般的なＨＤＤ／ＤＶＤレコーダの構造を示すブロック図を示す。
【００１３】
図１に示すように、一般的なＨＤＤ／ＤＶＤレコーダ１０は、ＨＤＤ２０とＤＶＤドライブ３０、さらに、ＴＶ電波を受信する機能を有するＴＶチューナ４０、ＴＶチューナ４０が受信した映像や音声信号をデジタルデータに変換したり、ＨＤＤ２０及びＤＶＤドライブ３０に装着されているＤＶＤディスク７０に記録されているデジタルデータを映像や音声信号に変換する機能を有するエンコーダ／デコーダ５０、ＨＤＤ／ＤＶＤレコーダ１０全体の制御を行う機能を有するコントローラ６０で構成されている。
【００１４】
ここで、ＤＶＤディスク７０は、記録データを複数回記録・消去可能な書き換えが可能なＤＶＤ−ＲＡＭやＤＶＤ−ＲＷである。
【００１５】
また、ＨＤＤ／ＤＶＤレコーダ１０の外部には、ＨＤＤ２０やＤＶＤディスク７０に記録されているデジタルデータから変換された映像や音声信号を再生するディスプレイ８０やスピーカー９０が構成されている。
【００１６】
このＨＤＤ／ＤＶＤレコーダ１０は、ＴＶチューナ４０でＴＶ信号を受信し、エンコーダ／デコーダ５０によってＴＶ信号をデジタル信号に変換する。そして、そのデジタル信号を保存する場合には、コントローラ６０を介してＨＤＤ２０又はＤＶＤドライブ３０でＤＶＤディスク７０に記録する。また、ＤＶＤドライブ３０は装着するＤＶＤディスク７０を交換する事ができ、ＤＶＤドライブ３０にＤＶＤディスク７０を装着した場合には、ディスクの記録データを複数回記録、消去する事が可能でありＤＶＤディスク７０に記録するデータを書き換える事が可能である。
【００１７】
本発明の実施例１に係るＨＤＤ／ＤＶＤレコーダ１０の記録方法を図２に示すフローチャートを用いて図１を参照にしながら説明する。
【００１８】
図２に示すように、まず、書き換え可能なＤＶＤディスク７０をＤＶＤドライブ３０に装着する（Ｓ１００）。次に、ＤＶＤディスク７０に記録するＨＤＤ２０内に記録されている所望データを設定する（Ｓ１０１）。つまり、ＨＤＤ２０が再生する記録内容をディスプレイ８０で確認し、ＤＶＤディスク７０へ記録するＨＤＤ２０内に記録されている所望データをＨＤＤ／ＤＶＤレコーダ１０へ設定する作業を行う。
【００１９】
次に、ＤＶＤディスク作成開始操作を行い、ＤＶＤディスク７０の作成をＨＤＤ／ＤＶＤレコーダ１０に開始させる（Ｓ１０２）。
【００２０】
次に、コントローラ６０は、ＤＶＤディスク作成開始の命令を出し、ＤＶＤドライブ３０に装着されたＤＶＤディスク７０を再生し、ＤＶＤディスク７０に記録データがあるかどうかの判定を行う（Ｓ１０３）。
【００２１】
このとき、ＤＶＤディスク７０に記録されたデータが有る場合には、まず、コントローラ６０は、ＤＶＤディスク７０の記録データをＨＤＤ２０へコピーする命令を出し、ＤＶＤディスク７０の記録データをＨＤＤ２０へコピーする（Ｓ１０４）。次に、ＨＤＤ２０へＤＶＤディスク７０の全データのコピーが完了したかの判定を行う（Ｓ１０５）。このとき、ＤＶＤディスク７０の全データのコピーが完了していない場合は、Ｓ１０４に戻り、全データのコピーが完了するまで、Ｓ１０４、Ｓ１０５の動作を行う。
【００２２】
次に、Ｓ１０５で、ＨＤＤ２０へのＤＶＤディスク７０の全データのコピーが完了と判定されたら、ＤＶＤディスク７０の全データの消去を行う（Ｓ１０６）。次に、ＤＶＤディスク７０に記録データが有るかどうかの判定を行う（Ｓ１０７）。このとき、ＤＶＤディスク７０の全データの消去が完了していない場合には、Ｓ１０６に戻り、全てのデータが消去されるまで、Ｓ１０６、Ｓ１０７の動作を行う。
【００２３】
次に、Ｓ１０７で、ＤＶＤディスク７０の全データの消去が完了と判定されたら、コントローラ６０は、Ｓ１０１で設定した所望のデータをＤＶＤディスク７０に記録する命令を出し、ＨＤＤ２０内に記録されている所望データをＤＶＤディスク７０へデータの書き込みを行う（Ｓ１０８）。次に、ＤＶＤディスク７０に所望のデータがすべて書き込まれたかどうかの判定を行う（Ｓ１０９）。このとき、ＤＶＤディスク７０にすべてのデータが書き込まれていない場合には、Ｓ１０８へ戻り、全てのデータがＤＶＤディスク７０に書き込まれるまで、Ｓ１０８、Ｓ１０９の動作を行う。
【００２４】
そして、Ｓ１０９で、ＨＤＤ２０内に記録されている所望のデータが全てＤＶＤディスク７０に書き込まれたと判定されたら、その所望のデータのみが記録されたＤＶＤディスク７０の作成が完了する（Ｓ１１０）。
【００２５】
上記Ｓ１０３の判定において、ＤＶＤディスク７０に記録されたデータがないと判断された場合には、ＤＶＤディスク７０内の記録データの消去を行う必要はないので、Ｓ１０１で設定した所望のデータをＨＤＤ２０からＤＶＤディスク７０にコピーする動作を行う（Ｓ１０８）。その後は、上記した動作と同様、ＤＶＤディスク７０に所望のデータがすべて書き込まれたかどうかの判定を行い（Ｓ１０９）、ＤＶＤディスク７０にすべてのデータが書き込まれていない場合には、Ｓ１０８へ戻り、全てのデータがＤＶＤディスク７０に書き込まれるまで、Ｓ１０８、Ｓ１０９の動作を行う。
【００２６】
そして、Ｓ１０９で、ＨＤＤ２０内に記録されている所望のデータが全てＤＶＤディスク７０に書き込まれたと判定されたら、その所望のデータのみが記録されたＤＶＤディスク７０の作成が完了する（Ｓ１１０）。
【００２７】
以上のＨＤＤ／ＤＶＤレコーダの記録方法で、ＤＶＤディスクにデータが記録されていても、ＤＶＤディスク内の記録データをＨＤＤ内にコピーし、ＤＶＤディスクの記録データを消去してから、ＨＤＤ内の所望のデータをＤＶＤディスクに記録する。そのため。ＤＶＤディスクに記録データが記録されているかどうかに関わらず、ＤＶＤディスクに所望のデータのみを書き込むことができ、ＤＶＤディスクに所望のデータを書き込むときに生じる手間を省くことができる。
【実施例２】
【００２８】
本発明の実施例２に係るＨＤＤ／ＤＶＤレコーダ１０の記録方法を図３に示すフローチャートを用いて図１を参照にしながら説明する。本発明の実施例１との違いは、実施例１において、HDD２０の所定エリアへのＤＶＤディスク７０のコピー先の設定を加えたものである。尚、その他の図２と同一の構成については、同一の符号を附して説明を省略する。
【００２９】
Ｓ１００、Ｓ１０１を経て、ＤＶＤディスク７０に記録するＨＤＤ２０内に記録されている所望データを設定した後、ＨＤＤ２０へコピーするＤＶＤディスク７０に記録されている記録データのコピー先の設定を行う（Ｓ２０１）。
【００３０】
次に、Ｓ２０１でコピー先の設定が行われたかの判定を行う（Ｓ２０２）。コピー先の設定が行われたと判定された場合、コントローラ６０は、ＤＶＤディスク作成開始の命令を出し（Ｓ１０２）、ＤＶＤドライブ３０に装着されたＤＶＤディスク７０を再生し、ＤＶＤディスク７０に記録データがあるかどうかの判定を行う（Ｓ１０３）。
【００３１】
このとき、Ｓ１０３で、ＤＶＤディスク７０に記録されたデータがないと判定された場合には、実施例１と同様、Ｓ１０８、Ｓ１０９の動作を行い、ＤＶＤディスク７０の作成は完了する（Ｓ１１０）。
【００３２】
Ｓ１０３で、ＤＶＤディスク７０に記録されたデータが有ると判定された場合には、コントローラ６０は、ＤＶＤディスク７０の記録データをＳ２０１で設定したコピー先へコピーする命令をＨＤＤ２０に出し、ＤＶＤディスク７０の記録データを前記コピー先へコピーする（Ｓ２０９）。
【００３３】
次に、ＨＤＤ２０へＤＶＤディスク７０の全データのコピーが完了したかの判定を行う（Ｓ１０５）。このとき、ＤＶＤディスク７０の全データのコピーが完了していないと判定された場合は、Ｓ２０９に戻り、全データのコピーが完了するまで、Ｓ２０９、Ｓ１０５の動作を順次行う。
【００３４】
その後は、実施例１と同様、Ｓ１０６からＳ１１０までの動作を行うことによって、ＤＶＤディスク７０にＨＤＤ２０内の所望のデータを書き込むことができ、ＤＶＤディスク７０の作成は完了する。
【００３５】
Ｓ２０２において、ＨＤＤ２０内のコピー先の設定が行われないと判定された場合、コントローラ６０は、予め用意されたコピー先のグループ名をコピー先として設定する（Ｓ２０３）。
【００３６】
次に、予め用意されたコピー先のグループ名がＨＤＤで使用されているかの判定を行う（Ｓ２０４）。このとき、Ｓ２０４でグループ名に重複が無く、使用可能と判定されたときは、Ｓ１０２へ移り、ＤＶＤディスク７０作成を開始する（Ｓ１０２）。その後は、上記したＳ１０２からＳ１１０までのフローを行うことによって、ＤＶＤディスク７０にＨＤＤ２０内の所望のデータを書き込むことができ、ＤＶＤ７０の作成は完了する。
【００３７】
予め用意されたコピー先が前回の使用などによって重複が発生し、Ｓ２０４にて使用不可と判定された場合、コピー先のグループ名に数字を付加し、その数字を付加したグループ名をコピー先と設定する（Ｓ２０５）。
【００３８】
次に、数字を付加したグループ名がＨＤＤで使用されているかの判定を行う（Ｓ２０６）。このとき、Ｓ２０６でグループ名に重複が無く、使用可能と判定されれば、Ｓ１０２へ移り、ＤＶＤディスク７０作成を開始する。その後は、上記したＳ１０２からＳ１１０までのフローを行うことによって、ＤＶＤディスク７０にＨＤＤ２０内の所望のデータを書き込むことができ、ＤＶＤ７０の作成は完了する。
【００３９】
数字を付加したグループ名が前回の使用などによって重複が発生し、Ｓ２０６で使用不可と判定された場合、コピー先のグループ名の数字を増加して新たなコピー先と設定する（Ｓ２０７）。
【００４０】
次に、数字を増加したグループ名がＨＤＤで使用されているかの判定を行う（Ｓ２０８）。
【００４１】
Ｓ２０８でグループ名に重複が無く、使用可能と判定されたときは、Ｓ１０２へ移り、ＤＶＤディスク７０作成を開始する。その後は、上記したＳ１０２からＳ１１０までのフローを行うことによって、ＤＶＤディスク７０にＨＤＤ２０内の所望のデータを書き込むことができ、ＤＶＤ７０の作成は完了する。
【００４２】
数字を付加したグループ名が再度重複し、Ｓ２０８で使用不可と判定された場合、コピー先のグループ名の数字をさらに増加して新たなコピー先と設定する（Ｓ２０７）。この動作は、Ｓ２０８でグループ名に重複が無く、使用可能と判定されるまでＳ２０７、Ｓ２０８の動作を行い、使用可能と判定された後Ｓ１０２へ移り、ＤＶＤディスク７０作成を開始する。その後は、Ｓ１０２へ移り、上記したＳ１０２からＳ１１０までのフローを行っていく。
【００４３】
以上より、本実施例に係るＨＤＤ／ＤＶＤレコーダの記録方法において、ＤＶＤディスクにデータが記録されていても、ＤＶＤディスク内の全記録データをＨＤＤ内にコピーし、ＤＶＤディスクの全記録データを消去してから、ＨＤＤ内の所望のデータをＤＶＤディスクに記録することができる。そのため、実施例１と同様、ＤＶＤディスクに記録データが記録されているかどうかにかかわらず、ＤＶＤディスクに所望のデータのみを書き込むことができ、ＤＶＤディスクに所望のデータを書き込むときに生じる手間を省くことができる。
【００４４】
また、ＤＶＤディスクに書き込まれた記録データのＨＤＤへのコピー先を予め設定若しくは自動的に設定することによって、ＨＤＤ内の所定の場所にＤＶＤディスクの記録データがコピーされるので、後にＤＶＤからＨＤＤにコピーされた記録データを探す場合、容易にＨＤＤ内から探すことができる。
【００４５】
ここで、各実施例では、ＤＶＤディスク（ＤＶＤ−ＲＡＭ、ＤＶＤ−ＲＷ）を用いて説明を行ってきたが、それ以外にも、ＣＤ−ＲＷ、ＭＯなどの着脱可能な記録媒体を用いることができる。その場合、ＤＶＤドライブの代わりにそれぞれの再生・記録を行うドライブが必要なことは言うまでもない。また、以上のことから、ＨＤＤ／ＤＶＤレコーダに限定されるわけではなく、パソコンなどの内部にＨＤＤといった記憶媒体や着脱可能なＤＶＤディスクといった記憶媒体を再生・記録するドライブを有するものにも本発明の各実施例は適用することができる。
【００４６】
なお、本発明は、上述したような各実施例に何ら限定されるものではなく、本発明の主旨を逸脱しない範囲内で種々変形して実施することができる。
【図面の簡単な説明】
【００４７】
【図１】一般的なＨＤＤ／ＤＶＤレコーダの構造を示すブロック図。
【図２】本発明の実施例１に係るＨＤＤ／ＤＶＤレコーダの記録方法を示すフローチャート。
【図３】本発明の実施例２に係るＨＤＤ／ＤＶＤレコーダの記録方法を示すフローチャート。
【符号の説明】
【００４８】
１０  ハードディスク（ＨＤＤ）／ＤＶＤレコーダ
２０  ＨＤＤ
３０  ＤＶＤドライブ
４０  ＴＶチューナ
５０  エンコーダ／デコーダ
６０  コントローラ
７０  ＤＶＤディスク
８０  ディスプレイ
９０  スピーカー
【図１】
2007004889.tif 000003
【図２】
2007004889.tif 000004
【図３】
2007004889.tif 000005